(57)【要約】【課題】外観体裁がよく、太陽電池パネルを装着するための各別な部材を必要とせず、送電ケーブルの配線操作を含めて施工が非常に容易な太陽電池付き手摺を提供する。【解決手段】左右一対の手摺支柱１，１と上下部の横架材２，３とからなる矩形枠１０内に太陽電池パネルＰが嵌装され、上部横架材２にカバー材４が嵌着されて中空の笠木Ｔを構成し、上部横架材２の下面側に太陽電池パネルＰの上縁部を嵌入させる嵌合溝２１を備え、太陽電池パネルＰの上縁部に取り付けられた端子ボックス５が嵌合溝２１の溝底に設けた開口部２１ａより笠木Ｔの内部へ突出して配置し、端子ボックス５より導出する送電ケーブル６が該笠木Ｔの内部を通して配線されてなる。【選択図】図３
2014211020.tif 000002
【特許請求の範囲】
【請求項１】
左右一対の手摺支柱と、両手摺支柱間に架設された上下部の横架材とからなる矩形枠内に太陽電池パネルが嵌装され、上部横架材にカバー材が嵌着されて中空の笠木を構成し、  上部横架材は下面側に太陽電池パネルの上縁部を嵌入させる嵌合溝を備え、該太陽電池パネルの上縁部に端子ボックスが取り付けられ、この端子ボックスが前記嵌合溝の溝底に設けた開口部より前記笠木の内部へ突出して配置すると共に、該端子ボックスより導出する送電ケーブルが該笠木の内部を通して配線されてなる太陽電池付き手摺。
【請求項２】
上部横架材の前後両縁部に互いに接近する斜め方向に立ち上がる係止片が形成され、
前記カバー材は、断面略下向き開放コ字形をなし、その前後両側板部の内面側に上部横架材の係止片に上方から係合する鉤形片が突設されると共に、前後両側板部の下縁が前記係止片と鉤形片との係合位置よりも下方に位置してなる請求項１に記載の太陽電池付き手摺。
【請求項３】
下部横架材の上面側に太陽電池パネルの下縁部を嵌入させる嵌合溝を備えると共に、手摺支柱が側面部に太陽電池パネルの側縁部を嵌入させる嵌合溝を備えてなる請求項１又は２に記載の太陽電池付き手摺。
【発明の詳細な説明】
【技術分野】
【０００１】
本発明は、建物のベランダやバルコニー、ビルの屋上や外付け通路等に設けられる太陽電池付きの手摺に関する。
【背景技術】
【０００２】
一般に、太陽電池付きの手摺として、太陽電池パネルを手摺支柱の上下部に設けたブラケット（特許文献１）、もしくは手摺支柱と建物躯体に設けた上下のブラケット（特許文献２）を介して手摺の外側へ取り付けた形態と、左右の手摺支柱と上下の横架材との間に構成される矩形枠内に太陽電池パネルを嵌装した形態とがある。その前者の形態では、既存の手摺に太陽電池パネルを後付けできる利点がある反面、取付施工に非常に手間がかかる上、手摺の外側に別体の太陽電池パネルが突出した状態になって外観が悪くなるという難点がある。これに対し、後者の形態では、手摺の構築時に太陽電池パネルを嵌め込む形で容易に取付けできると共に、該太陽電池パネルが手摺自体の面板になるから、すっきりした外観で手摺としての体裁がよいという利点がある。
【０００３】
従来、後者の形態とする手摺として、手摺支柱に沿って中空アルミ型材からなる装着部材を配設し、該装着部材の側面に開口させたプラグ受け部に、太陽電池パネルの裏面側に配置する収集ボックス（端子ボックス）に繋がる送電プラグを該太陽電池パネルの周枠に設けた開口部から差込むと共に、該送電プラグから導出する接続ケーブル（送電ケーブル）を装着部材の内部から上側の横架材及び手摺支柱の内部を通して配線する構造が提案されている（特許文献３）。
【先行技術文献】
【特許文献】
【０００４】
【特許文献１】特開平１１−１３１３０号公報
【特許文献２】特開平７−２７９２４０号公報
【特許文献３】特開２０１０−２０３２１７号公報
【発明の概要】
【発明が解決しようとする課題】
【０００５】
しかしながら、前記従来の提案に係る手摺では、中空アルミ型材からなる装着部材を用い、且つ該装着部材及び太陽電池パネルの周枠に開口部を設ける加工が必要になり、それだけ材料コスト及び加工コストが嵩むことに加え、送電ケーブルを装着部材の内部から上側の横架材及び手摺支柱の内部を通して配線するための操作に手間がかかるという難点があった。
【０００６】
本発明は、上述の事情に鑑みて、太陽電池付き手摺として、すっきりした外観で体裁がよい上、太陽電池パネルを装着するための各別な部材を必要とせず、しかも送電ケーブルの配線操作を含めて施工が非常に容易なものを提供することを目的としている。
【課題を解決するための手段】
【０００７】
上記目的を達成するための手段を図面の参照符号を付して示せば、請求項１の発明に係る太陽電池付き手摺は、左右一対の手摺支柱１，１と、両手摺支柱１，１間に架設された上下部の横架材２，３とからなる矩形枠１０内に太陽電池パネルＰが嵌装され、上部横架材２にカバー材４が嵌着されて中空の笠木Ｔを構成し、上部横架材２の下面側に太陽電池パネルＰの上縁部を嵌入させる嵌合溝２１を備え、該太陽電池パネルＰの上縁部に端子ボックス５が取り付けられ、この端子ボックス５が嵌合溝２１の溝底に設けた開口部２１ａより笠木Ｔの内部へ突出して配置すると共に、該端子ボックス５より導出する送電ケーブル６が該笠木Ｔの内部を通して配線されてなる構成としている。
【０００８】
請求項２の発明は、上記請求項１の太陽電池付き手摺において、上部横架材２の前後両縁部に互いに接近する斜め方向に立ち上がる係止片２２，２２が形成され、カバー材４は、断面略下向き開放コ字形をなし、その前後両側板部４ｂ，４ｃの内面側に上部横架材２の係止片２２，２２に上方から係合する鉤形片４１，４１が突設されると共に、前後両側板部４ｂ，４ｃの下縁が係止片２２と鉤形片４１との係合位置よりも下方に位置してなる構成としている。
【０００９】
請求項３の発明は、上記請求項１又は２の太陽電池付き手摺において、下部横架材３の上面側に太陽電池パネルＰの下縁部を嵌入させる嵌合溝３１を備えると共に、手摺支柱１が側面部に太陽電池パネルＰの側縁部を嵌入させる嵌合溝１１を備えてなる構成としている。
【発明の効果】
【００１０】
次に、本発明の効果について図面の参照符号を付して説明する。まず、請求項１の発明によれば、左右の手摺支柱１，１と上下部の横架材２，３とからなる矩形枠１０内に嵌装された太陽電池パネルＰが手摺自体の面板となるから、手摺の外観がすっきりして良好な体裁を示す。そして、上部横架材２とカバー材４が嵌着されて笠木Ｔを構成し、上部横架材２の嵌合溝２１に太陽電池パネルＰの上縁部を嵌入させることで、該太陽電池パネルＰの上縁部に取り付けられた端子ボックス５が嵌合溝２１の開口部２１ａより笠木Ｔの内部へ突出するから、該端子ボックス５より導出するコネクタ６ａ付きの送電ケーブル６を該笠木Ｔの内部を通して極めて簡単な操作で配線でき、施工容易である上、その配線のための各別な部材が不要であり、また上部横架材２に開口部２１ａを設けるだけでよいから、材料コスト及び加工コストが少なくて済む。
【００１１】
請求項２の発明によれば、上部横架材２の両縁部の係止片２２，２２に、カバー材４の両側板部４ｂ，４ｃの鉤形片４１，４１を上方から係合させるようになっているから、施工に際し、上部横架材２上に送電ケーブル６を配線したのちに該カバー材４を嵌着して簡単に笠木Ｔを構成できると共に、該送電ケーブル６の点検や交換の際に、該カバー材４を材料弾性を利用して前後に圧縮して撓ませることで簡単に取り外すことができる。また、該カバー材４の両側板部４ｂ，４ｃの下縁が係止片２２と鉤形片４１との係合位置よりも下方に位置するから、笠木Ｔ内へ雨水が浸入しにくく、もって雨水による漏電や短絡、腐食とそれに起因した通電不良等が回避される。
【００１２】
請求項３の発明によれば、上部横架材２の下面側の嵌合溝２１と共に、手摺支柱１の側面部及び下部横架材３の上面側の嵌合溝１１，３１を利用して、左右の手摺支柱１，１と上下部の横架材２，３とからなる矩形枠１０に太陽電池パネルＰを容易に且つ確実に嵌装できると共に、嵌装した太陽電池パネルＰが風圧や地震動等で外れる懸念がない。
【図面の簡単な説明】
【００１３】
【図１】本発明の一実施形態に係る太陽電池付き手摺を示す正面図である。
【図２】同手摺における上部側要部の一部破断正面図である。
【図３】同手摺を示す縦断側面図である。
【図４】同手摺における支柱部分の横断平面図である。
【発明を実施するための形態】
【００１４】
以下に、本発明の一実施形態に係る太陽電池付き手摺について、図面を参照して具体的に説明する。
【００１５】
図１に示すように、この太陽電池付き手摺は、ベランダ等の扶壁Ｗ上に立設された複数本の手摺支柱１・・・の頂部間に亘って笠木Ｔが設けられ、左右の手摺支柱１，１の下部間に下部横架材３が架設されると共に、左右の手摺支柱１，１と笠木Ｔと下部横架材３とからなる各矩形枠１０内に、太陽電池モジュールを構成する太陽電池パネルＰが嵌装されている。
【００１６】
笠木Ｔは、図２及び図３に示すように、左右の手摺支柱１，１間に架設された上部横架材２上に、断面略下向き開放コ字形の長尺なカバー材４が嵌着されてなり、その中空内部が左右方向に連続している。その上部横架材２は、平板部１０の幅方向（前後方向）中央に下向きに開く嵌合溝２１を有すると共に、該平板部１０の前後両縁部の上面側に、互いに接近する斜め方向に立ち上がる係止片２２，２２を備え、また嵌合溝２１の左右側面部に相互に対向するボルト止め用溝部２３，２３が形成されている。一方、カバー材４は
、上向き凸にやや湾曲して且つ外側へ高く若干傾斜した上板部４ａと、前後の側板部４ｂ，４ｃとでコ字枠状をなし、両側板部４ｂ，４ｃの内面側に先端側を下向きに屈曲した鉤形片４１，４１が形成されている。そして、上部横架材２の各係止片２２にカバー材４の鉤形片４１を上方から係合する形で、該カバー材４が上部横架材２に嵌着しており、この嵌着状態で該カバー材４の両側板部４ｂ，４ｃの下縁が係止片２２と鉤形片４１の係合位置よりも下方に位置している。
【００１７】
下部横架材３は、図３に示すように、断面略上向き開放コ字形の下枠部材３Ａに、上枠部材３Ｂをビス止めすることにより、全体として角筒状をなしている。その上枠部材３Ｂは、上部横架材２と同様に、平板部３０の幅方向中央に上向きに開く嵌合溝３１を有すると共に、該嵌合溝３１の左右側面部にボルト止め用溝部３３，３３が形成されている。そして、該上枠部材３Ｂは、下枠部材３Ａの底面側に設けた一対の逆Ｌ字形の受け片３５，３５上に嵌合溝３１部分を載置して、平板部３０の前後両縁部の二段曲折した各取付片３２を、下枠部材３Ａの前後上端の内向き突縁部３２の下側にシール材８を介して接合し、その接合位置でビスＶによってねじ止めされている。
【００１８】
また、手摺支柱１は、図４に示すように、左右両側面の幅方向中央部に嵌合溝１１を有しており、内部が前後の仕切壁１２，１２によって前後両側の幅広中空部１ａ，１ａと嵌合溝１１に対応する中央の幅狭中空部１ｂとに分画されている。そして、この手摺支柱１の嵌合溝１１と、上部横架材２及び下部横架材３の嵌合溝２１，３１とは、同幅に設定されている。
【００１９】
太陽電池パネルＰは、その周枠Ｆの背面側に接合した背面板７と共に、上下縁部を上部横架材２及び下部横架材３の嵌合溝２１，３１に、左右側縁部をスペーサ９を介して左右の手摺支柱１，１の嵌合溝１１，１１に、それぞれ嵌入することにより、手摺の矩形枠部１０に嵌装されている。この太陽電池パネルＰ及び背面板７は、上部横架材２及び下部横架材３の後部側の各ボルト止め用溝部２３，３３において、側方から背面板７及び周枠Ｆに貫通させたボルトＢにナットＮを螺合緊締することにより、手摺自体の面板として固着されている。
【００２０】
しかして、太陽電池パネルＰの周枠Ｆの上縁部には端子ボックス５が取り付けられており、この太陽電池パネルＰを手摺の矩形枠部１０に嵌装した状態において、図２に示すように、該端子ボックス５が上部横架材２の嵌合溝２１の溝底に設けた開口部２１ａより笠木Ｔの内部へ突出して配置すると共に、該端子ボックス５より導出するコネクタ６ａ付きの送電ケーブル６が図１の如く該笠木Ｔの内部を通して配線されている。なお、図３に示すように、上部横架材２の嵌合溝２１と両側の係止片２２，２２との間は上向きに開く溝部２４，２４をなし、その片側（図では後側）の溝部２４に沿って送電ケーブル６が延びている。
【００２１】
上記構成の太陽電池付き手摺では、左右の手摺支柱１，１と上下部の横架材２，３とからなる矩形枠１０内に嵌装された太陽電池パネルＰが手摺自体の面板となるから、手摺の外観がすっきりして良好な体裁を示す。そして、上部横架材２とカバー材４とで中空の笠木Ｔを構成する一方、該太陽電池パネルＰの上縁部に端子ボックス５が取り付けられており、上部横架材２の嵌合溝２１に太陽電池パネルＰの上縁部を嵌入した状態で、端子ボックス５が該嵌合溝２１の開口部２１ａより笠木Ｔの内部へ突出するようにしているから、該端子ボックス５より導出するコネクタ６ａ付きの送電ケーブル６を該笠木Ｔの内部を通して極めて簡単な操作で配線できる。従って、この太陽電池付き手摺は、非常に施工容易である上、送電ケーブル６の配線のための各別な部材が不要であり、また上部横架材２に開口部２１ａを設けるだけでよいから、材料コスト及び加工コストが少なくて済む。
【００２２】
また、笠木Ｔとして、実施形態のように、上部横架材２の両縁部の係止片２２，２２に、カバー材４の両側板部４ｂ，４ｃの鉤形片４１，４１を上方から係合させる構成を採用すれば、施工に際し、上部横架材２上に送電ケーブル６を配線したのちに該カバー材４を嵌着して簡単に該笠木Ｔを形成できると共に、送電ケーブル６の点検や交換の際に、該カバー材４を材料弾性を利用して前後に圧縮して撓ませるだけで、該カバー材４を簡単に取り外すことができるという利点がある。更に実施形態のように、該カバー材４の両側板部４ｂ，４ｃの下縁が係止片２２と鉤形片４１との係合位置よりも下方に位置する構成とすれば、笠木Ｔ内へ雨水が浸入しにくくなるから、雨水による漏電や短絡、腐食とそれに起因した通電不良等が回避されるという利点がある。
【００２３】
一方、実施形態のように、上部横架材２の下面側の嵌合溝２１と共に、手摺支柱１の側面部及び下部横架材３の上面側に嵌合溝１１，３１を設け、これら嵌合溝１１，２１，３１に太陽電池パネルＰが全周で嵌合する構成とすれば、左右の手摺支柱１，１と上下部の横架材２，３とからなる矩形枠１０に対して該太陽電池パネルＰを容易に且つ確実に嵌装できると共に、嵌装した太陽電池パネルＰが風圧や地震動等で外れる懸念もない。
【００２４】
なお、実施形態ではベランダ等の扶壁Ｗに手摺支柱１を直接に立設しているが、該扶壁Ｗに固着した適当なアンカー金具に該手摺支柱１の根元部を固定する構造でもよく、また扶壁Ｗの頂部を覆う笠木を設けてもよい。更に、実施形態における背面板７に代えて、所定間隔を置いて配列する縦桟や横桟等で面格子を形成してもよい。その他、本発明においては、手摺支柱１、上部横架材２、下部横架材３、カバー材４の各々の断面形状、端子ボックス５の形状等、細部構成については実施形態以外に種々設計変更可能である。
【符号の説明】
【００２５】
１          手摺支柱
１１        嵌合溝
２          下部横架材
２１        嵌合溝
２１ａ      開口部
２２        係止片
３          上部横架材
４          カバー材
４ｂ，４ｃ  側板部
４１        鉤形片
５          端子ボックス
６          送電ケーブル
Ｐ          太陽電池パネル
【図１】
2014211020.tif 000003
【図２】
2014211020.tif 000004
【図３】
2014211020.tif 000005
【図４】
2014211020.tif 000006